(57)【要約】      （修正有）【課題】  ユーザにより認識可能な形に前記データを変換するために使用されるデータ変換テーブルとテーブルバインディングテーブルとを利用することにより、ＩＣカードのメモリ内に記憶されている情報を、利用者が理解することのできる形態で携帯端末機器の表示部に表示することができる情報表示システム、およびその情報表示方法を提供する。【解決手段】  ＩＣカードのメモリ内に記憶されている情報を利用者が理解することができる形で利用者の所持する携帯端末機器の表示部に表示するために、ＩＣカードの情報に対応したデータ変換テーブル、および読み込み対象であるＩＣカードの情報に対応したデータ変換テーブルを決定するためのテーブルバインディングテーブルを使用する。これにより、データ変換テーブルおよびテーブルバインディングテーブルは、大容量サーバではなく、利用者の所持する携帯端末機器のメモリ内に格納される。【選択図】  図１
2006155106.tif 000002
【特許請求の範囲】
【請求項１】
表示部と端末メモリと端末側処理装置とを有する携帯端末機器と、
データの格納されたテーブルを備えるカードメモリとカード側処理装置とを有するＩＣカードとを具備し、
前記端末メモリは、データ変換テーブルと、テーブルバインディングテーブルとを備え、前記データ変換テーブルは、ユーザにより認識可能な形に前記データを変換するために使用され、前記テーブルバインディングテーブルは、前記データと前記データ変換テーブルとの対応を予め記録しており、
前記携帯端末機器の前記端末側処理装置からのデータ送信指示に応答して、前記ＩＣカードのカード側処理装置は前記カードメモリから前記データを読み込んで、読み込んだ前記データを前記携帯端末機器に送信し、前記携帯端末機器の前記端末側処理装置は、前記データの受信に基づいて前記テーブルバインディングテーブルを参照して前記データに対応する前記データ変換テーブルを決定し、前記決定された前記データ変換テーブルを用いて前記データをユーザが認識可能な形に変換して、前記表示部に表示する
情報表示システム。
【請求項２】
請求項１に記載の情報表示システムにおいて、
前記携帯端末機器は、さらに端末側通信部を有し、前記表示部、前記端末メモリ、および前記端末側通信部は、前記端末側処理装置に接続され、
前記ＩＣカードは、さらにカード側通信部を有し、前記カードメモリと前記カード側通信部とは前記カード側処理装置に接続され、
前記携帯端末機器の前記端末側処理装置からのデータ送信指示に応答して、前記ＩＣカードのカード側処理装置は前記カードメモリから前記データを読み込んで、読み込んだ前記データを前記カード側通信部を介して前記携帯端末機器に送信し、前記携帯端末機器は、前記端末側通信部を介して前記データを受信して、受信した前記データを前記端末メモリに入力し、前記携帯端末機器の前記端末側処理装置は、前記データの受信に基づいて前記テーブルバインディングテーブルを参照して前記データに対応する前記データ変換テーブルを決定し、前記決定された前記データ変換テーブルを用いて前記データをユーザが認識可能な形に変換して、前記表示部に表示する
情報表示システム。
【請求項３】
請求項１または２に記載の情報表示システムにおいて、
前記カード側通信部と前記端末側通信部とは、無線あるいは有線で接続される情報表示システム。
【請求項４】
請求項１から３までのいずれか一項に記載の情報表示システムにおいて、
前記テーブルおよび前記データ変換テーブルは、それぞれ単数または複数である情報表示システム。
【請求項５】
請求項１から４までのいずれか一項に記載の情報表示システムにおいて、
前記携帯端末機器は、さらに外部ネットワークと接続するための無線通信部を備える情報表示システム。
【請求項６】
請求項５に記載の情報表示システムにおいて、
前記携帯端末機器は携帯電話である情報表示システム。
【請求項７】
請求項１から６までのいずれか一項に記載の情報表示システムにおいて、
前記ＩＣカードは、鉄道における定期券としての機能を有する情報表示システム。
【請求項８】
データの格納されたテーブルを備えるカードメモリとカード側処理装置とを有するＩＣカードと、
ユーザにより認識可能な形に前記データを変換するために使用されるデータ変換テーブルと前記データと前記データ変換テーブルとの対応を予め記録しているテーブルバインディングテーブルとを備える端末メモリと、表示部と、端末側処理装置を有する携帯端末機器と
を具備する情報表示システムの前記端末メモリに格納される情報表示プログラムであって、
前記情報表示システムが起動すると、前記端末側処理装置は前記端末メモリから前記情報表示プログラムを読み込んで処理を実行し、前記端末側処理装置は前記ＩＣカードに向けて前記データを送信させるためのデータ送信指示信号を送信し、前記ＩＣカードの前記カード側処理装置は、前記データ送信指示に応答して前記カードメモリから前記データを読み込んで、読み込んだ前記データを前記携帯端末機器に送信し、前記携帯端末機器の前記端末側処理装置は、前記データの受信に基づいて前記テーブルバインディングテーブルを参照して前記データに対応する前記データ変換テーブルを決定し、前記決定された前記データ変換テーブルを用いて前記データをユーザが認識可能な形に変換して、前記表示部に表示する
情報表示プログラム。
【請求項９】
請求項８に記載の情報表示プログラムにおいて、
前記携帯端末機器は、さらに端末側通信部を有し、前記表示部、前記端末メモリ、および前記端末側通信部は、前記端末側処理装置に接続され、
前記ＩＣカードは、さらにカード側通信部を有し、前記カードメモリと前記カード側通信部とは前記カード側処理装置に接続され、
前記端末側処理装置は、前記端末側通信部を介して前記ＩＣカードに向けて前記データを送信させるためのデータ送信指示信号を送信し、
前記ＩＣカードのカード側処理装置は、前記携帯端末機器の前記端末側処理装置からのデータ送信指示に応答して前記カードメモリから前記データを読み込んで、読み込んだ前記データを前記カード側通信部を介して前記携帯端末機器に送信し、前記携帯端末機器は、前記端末側通信部を介して前記データを受信して、受信した前記データを前記端末メモリに入力し、前記携帯端末機器の前記端末側処理装置は、前記データの受信に基づいて前記テーブルバインディングテーブルを参照して前記データに対応する前記データ変換テーブルを決定し、前記決定された前記データ変換テーブルを用いて前記データをユーザが認識可能な形に変換して、前記表示部に表示する
情報表示プログラム。
【請求項１０】
請求項８または９に記載の情報表示プログラムにおいて、
前記テーブルおよび前記データ変換テーブルは、それぞれ単数または複数である情報表示プログラム。
【請求項１１】
請求項８から１０までのいずれか一項に記載の情報表示プログラムにおいて、
前記携帯端末機器は、さらに無線通信部を備え、
前記情報表示システムが起動すると、前記情報表示プログラムは前記無線通信部を介して外部ネットワークから前記端末メモリにダウンロードされる情報表示プログラム。
【請求項１２】
カード側処理装置にそれぞれ接続された、カード側通信部、データの格納されたテーブルを備えたカードメモリを有したＩＣカードと、
端末側処理装置にそれぞれ接続された表示部、端末側通信部、前記データをユーザに対して認識可能な形に変換するデータ変換テーブルおよび予め前記データと前記データ変換テーブルとの対応を記録したテーブルバインディングテーブルとを備えた端末メモリを有した携帯端末機器と
を具備する情報表示システムの前記カードメモリに格納されるデータ転送プログラムであって、
前記情報表示システムが起動すると、前記カード側処理装置は前記データ転送プログラムを読み込み、前記データ転送プログラムに基づいて前記カード側処理装置が処理を実行し、前記端末側処理装置からの前記データ送信指示信号の受信に基づいて、前記カード側処理装置は前記カードメモリの前記テーブルに格納されている前記データを前記カード側通信部から前記携帯端末機器に向けて送信する
データ転送プログラム。
【請求項１３】
データの格納されたテーブルを備えたカードメモリとカード側処理装置とを有するＩＣカードと、
ユーザにより認識可能な形に前記データを変換するために使用されるデータ変換テーブルと前記データと前記データ変換テーブルとの対応を予め記録しているテーブルバインディングテーブルとを備える端末メモリと、表示部と、端末側処理装置を有する携帯端末機器と
を具備する情報表示システムの情報表示方法であって、
前記端末側処理装置は前記ＩＣカードに向けて前記データを送信させるためのデータ送信指示信号を送信するステップと、
前記データ送信指示に応答して、前記ＩＣカードの前記カード側処理装置は前記カードメモリから前記データを読み込んで、読み込んだ前記データを前記携帯端末機器に向けて送信するステップと、
前記携帯端末機器の前記端末側処理装置は、前記データの受信に基づいて前記テーブルバインディングテーブルを参照して前記データに対応する前記データ変換テーブルを決定するステップと、
前記決定された前記データ変換テーブルを用いて前記データをユーザが認識可能な形に変換するステップと、
前記表示部に表示するステップと
を具備する情報表示方法。
【請求項１４】
請求項１３に記載の情報表示方法において、
前記テーブルおよび前記データ変換テーブルは、単数または複数である情報表示方法。
【請求項１５】
請求項１３または１４に記載の情報表示方法において、
前記データ送信指示信号は第1鍵情報を備え、前記カード側メモリは第２鍵情報を備え、
前記データを前記携帯端末機器に向けて送信する前記ステップは、前記第１鍵情報と前記第２鍵情報とを照合するステップを備え、
前記照合するステップにおいて、前記第１鍵情報と前記第２鍵情報とが合致したときのみ、前記データを前記携帯端末機器に向けて送信する前記ステップは、前記データを前記携帯端末機器に向けて送信する
情報表示方法。
【発明の詳細な説明】
【技術分野】
【０００１】
本発明は、携帯端末機器と連携して使用されるＩＣカードに関し、特にＩＣカードの情報をインデックスにした情報表示システムおよびその情報表示方法に関する。
【背景技術】
【０００２】
カード情報を携帯端末機器に表示させることにより、カードに記録された情報を認識する試みが行われている。特に、ＩＣカード等に記憶できる情報容量は限られているため、カード内に使用者が見てすぐに分かるような形でデータを格納することは難しい。このため、カードに格納される情報は、インデックス情報に限定される。また、カードに格納されるインデックス情報を、使用者が見てすぐに分かるような形で表示するための情報は、サーバ等のカード外部の大容量記憶媒体に格納される。
【０００３】
こうした従来のカード情報読み取りシステムにおいては、携帯端末機器がＩＣカードに格納された情報を直接利用者が理解できる形で表示部に表示することが出来ない。そして、カード情報を利用者に理解できる形で携帯端末機器の表示部に表示するためには、カード内部の情報を表示するための表示プログラムを提供するプログラム提供サーバに接続することにより表示プログラムをダウンロードすることが必要になる。このため、携帯端末機器はカード内部の情報を表示させようとする毎に、プログラムのダウンロードのためのプログラム提供サーバに接続する必要があった。このため、携帯端末機器は、プログラム提供サーバに接続するための通信部を備えている必要がある。このように、従来のカード情報読み取りシステムにおいては、カードに格納されている情報を表示部に表示するまでに長い所要時間を必要とした。
【０００４】
このような技術に関連して、以下のような報告がなされている。
【０００５】
特開２００３−３２３３０号公報に開示されている「ＩＣカードの記録内容を携帯電話機の表示部に表示する方法」では、要求に基いてＩＣカード記録情報を表示する表示プログラムを無線で提供するプログラム提供サーバと、携帯電話機と、ＩＣカードと、ＩＣカードを携帯電話機に接続する接続手段によって構成され、ＩＣカードに記録された情報を携帯電話機に表示する表示プログラムをプログラム提供サーバから無線でダウンロードすると、ダウンロードされたプログラムによって携帯電話機の表示部にＩＣカードに記録されている内容の一部が表示されるＩＣカードの記録内容を携帯電話機の表示部に表示する方法が報告されている。
【０００６】
また、特開昭６４−７６２７０号公報に開示されている「磁気カードシステム」では、使用可能な価値情報を記録した磁気カードを用い、この磁気カードを発行するカード発行機と、上記磁気カードを挿入して外部から入力されるＩＤ番号と該磁気カードに対応し、予め定められたＩＤ番号との照合を行って取引を行うカード使用機とを有する磁気カードシステムにおいて、上記カード発行機には価値情報を暗号化すると共に暗号化の種類を表示する暗号識別符号を出力する暗号化手段と、上記暗号識別符号と暗号化した価値情報を書き込む書き込み手段とを設ける一方、上記カード使用機には上記磁気カードに記録された暗号識別符号と暗号化された価値情報を読み取る読み取り手段と、読み取った暗号識別符号に基づいて上記価値情報を復号化する復号化手段とを設けた磁気カードシステムが報告されている。
【０００７】
【特許文献１】特開２００３−３２３３０号公報
【特許文献２】特開昭６４−７６２７０号公報
【発明の開示】
【発明が解決しようとする課題】
【０００８】
本発明の目的は、ユーザにより認識可能な形に前記データを変換するために使用されるデータ変換テーブルと前記データと前記データ変換テーブルとの対応を予め記録しているテーブルバインディングテーブルとを利用することにより、ＩＣカードのメモリ内に記憶されている情報を、利用者が理解することのできる形態で携帯端末機器の表示部に表示することができる情報表示システム、およびその情報表示方法を提供することである。
【課題を解決するための手段】
【０００９】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の情報表示システム（１００）は、表示部（１１）と端末メモリ（１４）と端末側処理装置（１２）とを有する携帯端末機器（１）と、データの格納されたテーブル（２４，２５）を備えるカードメモリ（２３）とカード側処理装置（２２）とを有するＩＣカード（２）とを備え、端末メモリは、データ変換テーブル（１７，１８）と、テーブルバインディングテーブル（１６）とを備え、データ変換テーブルは、ユーザにより認識可能な形にデータを変換するために使用され、テーブルバインディングテーブルは、データとデータ変換テーブルとの対応を予め記録しており、携帯端末機器の端末側処理装置からのデータ送信指示に応答して、ＩＣカードのカード側処理装置はカードメモリからデータを読み込んで、読み込んだデータを携帯端末機器に送信し、携帯端末機器の端末側処理装置は、データの受信に基づいてテーブルバインディングテーブルを参照してデータに対応するデータ変換テーブルを決定し、決定されたデータ変換テーブルを用いてデータをユーザが認識可能な形に変換して、表示部に表示する。
【００１１】
また、本発明の情報表示システム（１００）に係わる携帯端末機器（１）は、さらに端末側通信部（１３）を有し、表示部（１１）、端末メモリ（１４）、および端末側通信部は、端末側処理装置（１２）に接続され、ＩＣカード（２）は、さらにカード側通信部（２１）を有し、カードメモリ（２３）とカード側通信部とはカード側処理装置（２２）に接続され、携帯端末機器の端末側処理装置からのデータ送信指示に応答して、ＩＣカードのカード側処理装置はカードメモリからデータを読み込んで、読み込んだデータをカード側通信部を介して携帯端末機器に送信し、携帯端末機器は、端末側通信部を介してデータを受信して、受信したデータを端末メモリに入力し、携帯端末機器の端末側処理装置は、データの受信に基づいてテーブルバインディングテーブル（１６）を参照してデータに対応するデータ変換テーブル（１７，１８）を決定し、決定されたデータ変換テーブルを用いてデータをユーザが認識可能な形に変換して、表示部に表示する。
【００１２】
また、本発明の情報表示システム（１００）に係わるカード側通信部（２１）と端末側通信部（１３）とは、無線あるいは有線で接続される
また、本発明の情報表示システム（１００）に係わるテーブル（２４，２５）およびデータ変換テーブル（１７，１８）は、それぞれ単数または複数である。
【００１３】
また、本発明の情報表示システム（１００Ａ）に係わる携帯端末機器（１Ａ）は、さらに外部ネットワークと接続するための無線通信部（１０Ａ）を備える。
【００１４】
また、本発明の情報表示システム（１００Ａ）に係わる携帯端末機器（１Ａ）は、携帯電話である。
【００１５】
また、本発明の情報表示システム（１００，１００Ａ）に係わるＩＣカード（２，２Ａ）は、鉄道における定期券としての機能を有する。
【００１６】
また、本発明の情報表示プログラム（１５、１５Ａ）は、データの格納されたテーブル（２４，２５、２４Ａ，２５Ａ）を備えるカードメモリ（２３，２３Ａ）とカード側処理装置（２２，２２Ａ）とを有するＩＣカード（２，２Ａ）と、ユーザにより認識可能な形にデータを変換するために使用されるデータ変換テーブル（１７，１８，１７Ａ，１８Ａ）とデータとデータ変換テーブルとの対応を予め記録しているテーブルバインディングテーブル（１６，１６Ａ）とを備える端末メモリ（１４，１４Ａ）と、表示部（１１，１１Ａ）と、端末側処理装置（１２，１２Ａ）を有する携帯端末機器（１，１Ａ）とを備える情報表示システム（１００，１００Ａ）の端末メモリに格納される情報表示プログラムであって、情報表示システムが起動すると、端末側処理装置は端末メモリから情報表示プログラムを読み込んで処理を実行し、端末側処理装置はＩＣカードに向けてデータを送信させるためのデータ送信指示信号を送信し、ＩＣカードのカード側処理装置は、データ送信指示に応答してカードメモリからデータを読み込んで、読み込んだデータを携帯端末機器に送信し、携帯端末機器の端末側処理装置は、データの受信に基づいてテーブルバインディングテーブルを参照してデータに対応するデータ変換テーブルを決定し、決定されたデータ変換テーブルを用いてデータをユーザが認識可能な形に変換して、表示部に表示する。
【００１７】
また、本発明の情報表示プログラム（１５，１５Ａ）に係わる携帯端末機器（１，１Ａ）は、さらに端末側通信部（１３，１３Ａ）を有し、表示部（１１，１１Ａ）、端末メモリ（１４，１４Ａ）、および端末側通信部（１３，１３Ａ）は、端末側処理装置（１２，１２Ａ）に接続され、ＩＣカード（２，２Ａ）は、さらにカード側通信部（２１，２１Ａ）を有し、カードメモリ（２３，２３Ａ）とカード側通信部とはカード側処理装置（２２，２２Ａ）に接続され、端末側処理装置は、端末側通信部を介してＩＣカードに向けてデータを送信させるためのデータ送信指示信号を送信し、ＩＣカードのカード側処理装置は、携帯端末機器の端末側処理装置からのデータ送信指示に応答してカードメモリからデータを読み込んで、読み込んだデータをカード側通信部を介して携帯端末機器に送信し、携帯端末機器は、端末側通信部を介してデータを受信して、受信したデータを端末メモリに入力し、携帯端末機器の端末側処理装置は、データの受信に基づいてテーブルバインディングテーブル（１６，１６Ａ）を参照してデータに対応するデータ変換テーブル（１７，１８，１７Ａ，１８Ａ）を決定し、決定されたデータ変換テーブルを用いてデータをユーザが認識可能な形に変換して、表示部に表示する。
【００１８】
また、本発明の情報表示プログラム（１５，１５Ａ）に係わるテーブル（２４，２５，２４Ａ，２５Ａ）およびデータ変換テーブル（１７，１８，１７Ａ，１８Ａ）は、それぞれ単数または複数である。
【００１９】
また、本発明の情報表示プログラム（１５Ａ）は、情報表示システム（１００Ａ）が起動すると、さらに携帯端末機器（１Ａ）が無線通信部（１０Ａ）を備えていることにより、無線通信部を介して外部ネットワークから端末メモリ（１４Ａ）にダウンロードされる。
【００２０】
また、本発明のデータ転送プログラム（２６，２６Ａ）は、カード側処理装置（２２，２２Ａ）にそれぞれ接続された、カード側通信部（２１，２１Ａ）、データの格納されたテーブル（２４，２５，２４Ａ，２５Ａ）を備えたカードメモリ（２３，２３Ａ）を有したＩＣカード（２，２Ａ）と、端末側処理装置（１２，１２Ａ）にそれぞれ接続された表示部（１１，１１Ａ）、端末側通信部（１３，１３Ａ）、データをユーザに対して認識可能な形に変換するデータ変換テーブル（１７，１８，１７Ａ，１８Ａ）および予めデータとデータ変換テーブルとの対応を記録したテーブルバインディングテーブル（１６，１６Ａ）とを備えた端末メモリ（１４，１４Ａ）を有した携帯端末機器（１，１Ａ）とを備える情報表示システム（１００，１００Ａ）のカードメモリに格納されるデータ転送プログラムであって、情報表示システムが起動すると、カード側処理装置はデータ転送プログラムを読み込み、データ転送プログラムに基づいてカード側処理装置が処理を実行し、端末側処理装置からのデータ送信指示信号の受信に基づいて、カード側処理装置はカードメモリのテーブルに格納されているデータをカード側通信部から携帯端末機器に向けて送信する。
【００２１】
また、本発明の情報表示方法は、データの格納されたテーブル（２４，２５，２４Ａ，２５Ａ）を備えたカードメモリ（２３，２３Ａ）とカード側処理装置（２２，２２Ａ）とを有するＩＣカード（２，２Ａ）と、ユーザにより認識可能な形にデータを変換するために使用されるデータ変換テーブル（１７，１８，１７Ａ，１８Ａ）とデータとデータ変換テーブルとの対応を予め記録しているテーブルバインディングテーブル（１６，１６Ａ）とを備える端末メモリ（１４，１４Ａ）と、表示部（１１，１１Ａ）と、端末側処理装置（１２，１２Ａ）を有する携帯端末機器（１，１Ａ）とを備える情報表示システム（１００，１００Ａ）の情報表示方法であって、端末側処理装置は前記ＩＣカードに向けてデータを送信させるためのデータ送信指示信号を送信するステップと、データ送信指示に応答して、ＩＣカードのカード側処理装置はカードメモリからデータを読み込んで、読み込んだデータを携帯端末機器に向けて送信するステップと、携帯端末機器の端末側処理装置は、データの受信に基づいてテーブルバインディングテーブルを参照してデータに対応するデータ変換テーブルを決定するステップと、決定されたデータ変換テーブルを用いてデータをユーザが認識可能な形に変換するステップと、表示部に表示するステップとを備える。
【００２２】
また、本発明の情報表示方法に係わるテーブル（２４，２５，２４Ａ，２５Ａ）およびデータ変換テーブル（１７，１８，１７Ａ，１８Ａ）は、単数または複数である。
【００２３】
また、本発明の情報表示方法に係わるデータ送信指示信号は、第1鍵情報を備え、カード側メモリ（２３，２３Ａ）は第２鍵情報を備え、データを携帯端末機器（１，１Ａ）に向けて送信するステップは、第１鍵情報と第２鍵情報とを照合するステップを備え、照合するステップにおいて、第１鍵情報と第２鍵情報とが合致したときのみ、データを携帯端末機器に向けて送信するステップは、データを携帯端末機器に向けて送信する。
【発明の効果】
【００２４】
本発明により、ＩＣカードの情報をインデックスにした情報表示システム、およびその情報表示方法を提供することができる。
【００２５】
本発明に係わる情報表示システムの携帯端末機器が備えるテーブルバインディングテーブルが、読み込み対象であるＩＣカードの情報に対応したデータ変換テーブルを決定する。そして、このデータ変換テーブルを利用することにより、ＩＣカード内のデータを利用者が理解することのできる形態のデータに変換する。その結果、ＩＣカードのメモリ内に記憶されている情報を、利用者が理解することのできる形態で携帯端末機器の表示部に表示することができる。
【００２６】
テーブルバインディングテーブルおよびデータ変換テーブルは携帯端末機器のメモリ内に格納されているため、携帯端末機器内でＩＣカードのメモリ内に記憶されているデータを利用者が理解することのできる形態のデータに変換することができる。このため、ＩＣカードのメモリ内に記憶されているデータの変換プログラムを格納するための大容量サーバに常に接続する必要がなくなり、データ変換に要する時間も短縮される。
【発明を実施するための最良の形態】
【００２７】
添付図面を参照して、本発明によるＩＣカードの情報をインデックスにした情報表示システム、およびその情報表示方法を実施するための最良の形態を以下に説明する。
【００２８】
本願は、ＩＣカードに記録されている情報を、利用者にとって認識可能な形態で利用者の所持する携帯端末機器の表示部に表示させる情報表示システム、およびその情報表示方法に係わるものである。本願においては、ＩＣカードのメモリ内に記憶されている情報を利用者が理解することができる形で利用者の所持する携帯端末機器の表示部に表示するために、ＩＣカードに格納されているデータ情報に対応したデータ変換プログラムを使用せずに、ＩＣカードのデータ情報に対応したデータ変換テーブル、および読み込み対象であるＩＣカードのデータ情報に対応したデータ変換テーブルを決定するためのテーブルバインディングテーブルを使用する。データ変換テーブルおよびテーブルバインディングテーブは、大容量サーバではなく、利用者の所持する携帯端末機器のメモリ内に格納される。
【００２９】
（実施の形態１）
本発明の実施の形態１に係わる情報表示システムを図１に示す。本実施の形態の情報表示システム１００は、携帯端末機器１とＩＣカード２とを備えている。
【００３０】
携帯端末機器１は、表示部１１、端末側処理装置１２、端末側通信部１３および端末側メモリ１４を備えている。表示部１１、端末側通信部１３および端末側メモリ１４は、それぞれ端末側処理装置１２に接続されている。表示部１１は、利用者に視認可能な画像、文字などを表示する機能をもつ。端末側通信部１３はＩＣカード２との間で通信を行う機能を持つ。端末側通信部１３とＩＣカード２との間の通信は、有線であっても無線であってもよい。端末側メモリ１４は、プログラム、データなどを格納する機能を備えている。端末側メモリ１４には、情報表示プログラム１５、テーブルバインディングテーブル１６、およびデータ変換テーブルＡ１７、データ変換テーブルＢ１８が格納されている。データ変換テーブル１７、１８は、ＩＣカード２の使用用途に応じて、単数であっても良いし、複数であっても良い。
【００３１】
ＩＣカード２は、カード側通信部２１、カード側処理装置２２、カード側メモリ２３を備えている。カード側通信部２１は、ＩＣカード２が外部機器との間で通信を実施するための機能を備えている。カード側通信部２１およびカード側メモリ２３は、それぞれカード側処理装置２２に接続している。カード側通信部２１と外部機器との間の通信は、有線であっても良いし無線であってよい。また、カード側メモリ２３は、プログラムおよびデータなどを格納する機能を有する。カード側メモリ２３は、データを格納するテーブルＡ２４、テーブルＢ２５、およびデータ転送プログラム２６を備えている。テーブル２４、２５は、ＩＣカード２の使用用途に応じて、単数であっても良いし、複数であっても良い。
【００３２】
図２のフローチャートにより、本実施の形態の動作原理を説明する。
【００３３】
ＩＣカード２のカード側メモリ２３に備えられるテーブルＡ２４およびテーブルＢ２５は、予めデータを格納している。また、携帯端末機器１の端末側メモリ１４は、予め、テーブルＡ２４およびテーブルＢ２５に格納されているデータと、そのデータを利用者に認識可能な形にした変換後のデータが登録されているデータ変換テーブルＡ１７およびデータ変換テーブルＢ１８を備えている。
【００３４】
情報表示システム１００が起動すると、携帯端末機器１の端末側メモリ１４に格納されている情報表示プログラム１５が端末側処理装置１２に読み込まれ、端末側処理装置１２において情報表示プログラム１５が実行される。情報表示プログラム１５の実行に基づいて、ＩＣカード２のテーブル２４、２５と携帯端末機器１のデータ変換テーブル１７、１８との対応が、携帯端末機器１のテーブルバインディングテーブル１６に登録される（ステップＳ１００）。次に、携帯端末機器１の端末側処理装置１２からＩＣカード２に向けてデータ送信指示信号が送信される。データ送信指示信号は、ＩＣカード２との間で認証を目的とする「鍵情報」を備えている。この「鍵情報」は、カード側メモリ２３にも格納されている。ＩＣカード２のカード側処理装置２２は、データ送信指示信号の受信に基づいて、データ送信指示信号に含まれている「鍵情報」と、カード側メモリ２３に格納されている「鍵情報」とを照合する。照合の結果、データ送信指示信号に含まれている「鍵情報」と、カード側メモリ２３に格納されている「鍵情報」とが合致したときのみ、カード側処理装置２２は、カード側メモリ２３に格納されているテーブル２４，２５から特定のデータを読み込む。そして、カード側通信部２１から携帯端末機器１に向けて読み込んだ特定データを送信する。ＩＣカード２におけるデータの読み込み、および書き込みに関するアクセスの認証に関しては、上記した「鍵情報」以外の方法を使用することも可能であるし、また、ＩＣカード２の使用用途によっては、認証なしの設定にすることも可能である。
【００３５】
端末側通信部１３で受信されたデータは、携帯端末機器１の端末側メモリ１４に読み込まれる（ステップＳ１０１）。ステップＳ１０１で読み込まれたデータと、テーブルバインディングテーブル１６とに基づいて、データ変換のために使用するデータ変換テーブル１７、１８を決定する（ステップＳ１０２）。次に、ステップＳ１０２で決定されたデータ変換テーブル１７、１８を利用して、ＩＣカード２から読み込んだデータを、利用者が認識可能なデータ形態に変換する（ステップＳ１０３）。そして、変換された利用者が認識可能なデータ形態に基づいて表示画面が構成され、携帯端末機器１の表示部１１にこの表示画面が表示される（ステップＳ１０４）。
【００３６】
（鉄道における定期券としての機能をもつＩＣカードに対する実施例）
以下に、本発明の実施の形態の１つとして、鉄道における定期券としての機能を有するＩＣカード２に対応する情報表示システム１００について説明する。
【００３７】
本実施例に係わる情報表示システム１００は、携帯端末機器１として携帯電話を備えている。携帯電話１は、液晶ディスプレイである表示部１１、ＲＡＭである端末側メモリ１４、非接触式の端末側通信部１３、および端末側処理装置１２を備えている。表示部１１、端末側メモリ１４、および端末側通信部１３は、それぞれ端末側処理装置１２に接続されている。特に、端末側処理装置１２と端末側通信部１３とは有線で接続されている。端末側メモリ１４には、情報表示プログラム１５、テーブルバインディングテーブル１６、データ変換テーブルＡ１７、データ変換テーブルＢ１８が格納されている。
【００３８】
また、本実施例に係わるＩＣカード２は、非接触式の通信方式を有したカード側通信部２１、ＲＡＭであるカード側メモリ２３、およびカード側処理装置２２を備えている。カード側通信部２１とカード側メモリ２３とは、それぞれカード側処理装置２２に接続されている。カード側メモリ２３は、テーブルＡ２４と、テーブルＢ２５とを備えている。
【００３９】
本実施例におけるＩＣカード２は、鉄道における定期券としての機能をもつＩＣカードであり、テーブルＡ２４（図５）およびテーブルＢ２５（図６）に示されるように、改札機を通過したときに乗降駅の履歴が駅コードとして記録される。また、携帯電話１の端末側メモリ１４に備えられる情報表示プログラム１５は、ＩＣカード２のカード側メモリ２３が備えるテーブルＡ２４およびテーブルＢ２５に格納されているデータを参照して、乗降駅の履歴を利用者に理解できる携帯で利用者の所持する携帯電話１の表示部１１に表示するプログラムである。
【００４０】
図３に示すように、データ変換テーブルＡ１７には、００と東京が、０１と品川が、０２と新宿とがそれぞれ結び付けられて登録されている。また、図５に示すように、テーブルＡ２４には、００と０１が、０１と０２が結び付けられて登録されている。これは駅コード００の駅で入場して駅コード０１の駅で出場した事、および駅コード０１の駅で入場して駅コード０２の駅で出場した事を意味している。
【００４１】
同様に、図４に示すように、データ変換テーブルＡ１７には、００とＴｏｋｙｏが、０１とＳｈｉｎａｇａｗａが、０２とＳｈｉｎｊｕｋｕとがそれぞれ結び付けられて登録されている。
【００４２】
また、図５に示すように、テーブルＡ２４には、００と０１が、０１と０２が結び付けられて登録されている。これは駅コード００の駅で入場して駅コード０１の駅で出場した事、および駅コード０１の駅で入場して駅コード０２の駅で出場した事を意味している。テーブルＢ２５についても同様に、図６に示されるように、００と０２が、０２と０１が結び付けられて登録されている。これは駅コード００の駅で入場して駅コード０２の駅で出場した事、および駅コード０２の駅で入場して駅コード０１の駅で出場した事を意味している。また、図７には、本実施例におけるテーブルバインディングテーブル１６が示されている。本実施例におけるテーブルバインディングテーブル１６は、２つテーブルバインディングデータ１６ａおよび１６ｂを備えている。テーブルバインディングデータ１６ａにおいては、テーブルＡ２４とデータ変換テーブルＡ１７とが対応しており、また、テーブルバインディングデータ１６ｂにおいては、テーブルＢ２５とデータ変換テーブルＢ１８とが対応してしていることが示されている。
【００４３】
本実施例における動作原理は、本発明に係わる実施の形態１の動作原理と同様であるのでここでは詳細な説明を省略する。
【００４４】
本実施例では、携帯端末機器１における情報表示プログラム１５が実行されて、テーブルバインディングテーブル１６でテーブルバインディングデータ１６ａが決定された場合、００と０１というデータは東京と品川という文字に変換される。そして、「東京→品川」という文字が構成される。引き続き、図２に示されるステップＳ１０１からステップＳ１０４までを繰り返すと、「品川→新宿」という文字が構成される。そして、最終的に本実施例においては、図８に示されるような画面が携帯電話１の表示部１１に表示されて利用者に知らされる。
【００４５】
また、テーブルバインディングテーブル１６でテーブルバインディングデータ１６ｂが決定された場合、００と０２というデータはＴｏｋｙｏとＳｈｉｎｊｕｋｕという文字に変換される。そして、「Ｔｏｋｙｏ→Ｓｈｉｎｊｕｋｕ」という文字が構成される。引き続き、図２に示されるステップＳ１０１からステップＳ１０４までを繰り返すと、「Ｓｈｉｎｊｕｋｕ→Ｓｈｉｎａｇａｗａ」という文字が構成される。そして、最終的に本実施例においては、図９に示されるような画面が携帯電話１の表示部１１に表示されて利用者に知らされる。
【００４６】
本実施の形態においては、情報表示システム１００の携帯端末機器１が備えるテーブルバインディングテーブル１６が、読み込み対象であるＩＣカード２の情報に対応したデータ変換テーブル１７，１８を決定する。そして、このデータ変換テーブルを利用することにより、ＩＣカード内のデータを利用者が理解することのできる形態のデータに変換する。その結果、ＩＣカードのカード側メモリ内に記憶されている情報を、利用者が理解することのできる形態で携帯端末機器１の表示部１１に表示することができる。
【００４７】
テーブルバインディングテーブル１６およびデータ変換テーブル１７，１８は携帯端末機器１の端末側メモリ１４内に格納されているため、携帯端末機器内でＩＣカード２のメモリ内に記憶されているデータを利用者が理解することのできる形態のデータに変換することができる。その結果、ＩＣカードのメモリ内に記憶されているデータの変換プログラムを格納するための大容量サーバに常に接続する必要がなくなり、データ変換に要する時間も短縮される。
【００４８】
（実施の形態２）
本発明の実施の形態２に係わる情報表示システムを図１０に示す。本実施の形態の基本的な構成および動作原理は、実施の形態１と同様である。但し、本実施の形態においては、その構成要素である携帯端末機器１Ａが、ＩＣカード２Ａ以外の外部ネットワークと通信するための無線通信部１０Ａを備えており、この無線通信部１０Ａを使用して、外部ネットワークから自らの端末側メモリ１４Ａに、プログラムおよびデータ等をダウンロードする。これにより、実施の形態１の作用効果に加えて、さらに複数の機能を備えたＩＣカードに対応することができる。
【００４９】
本実施の形態の情報表示システム１００Ａは、携帯端末機器１ＡとＩＣカード２Ａとを備えている。携帯端末機器１Ａは、表示部１１Ａ、端末側処理装置１２Ａ、端末側通信部１３Ａ、端末側メモリ１４Ａ、および無線通信部１０Ａを備えている。表示部１１Ａ、端末側通信部１３Ａ、端末側メモリ１４Ａ、および無線通信部１０Ａは、それぞれ端末側処理装置１２Ａに接続されている。表示部１１Ａは、利用者に視認可能な画像、文字などを表示する機能をもつ。端末側通信部１３ＡはＩＣカード２Ａとの間で通信を行う機能を持つ。端末側通信部１３ＡとＩＣカード２Ａとの間の通信は、有線であっても無線であってもよい。端末側メモリ１４Ａは、プログラム、データなどを格納する機能を備えている。端末側メモリ１４Ａには、情報表示プログラム１５Ａ、テーブルバインディングテーブル１６Ａ、およびデータ変換テーブルＡ（１７Ａ）、データ変換テーブルＢ（１８Ａ）が格納されている。データ変換テーブル１７Ａ、１８Ａは、ＩＣカード２Ａの使用用途に応じて、単数であっても良いし、複数であっても良い。また、無線通信部１０Ａは、外部ネットワークに接続する機能を有している。これにより、外部ネットワークから所要のプログラムやデータをダウンロードして、端末側メモリ１４Ａに格納する。
【００５０】
ＩＣカード２Ａは、カード側通信部２１Ａ、カード側処理装置２２Ａ、カード側メモリ２３Ａを備えている。カード側通信部２１Ａは、ＩＣカード２Ａが外部機器との間で通信を実施するための機能を備えている。カード側通信部２１Ａおよびカード側メモリ２３Ａは、それぞれカード側処理装置２２Ａに接続している。カード側通信部２１Ａと外部機器との間の通信は、有線であっても良いし無線であってよい。また、カード側メモリ２３Ａは、プログラムおよびデータなどを格納する機能を有する。カード側メモリ２３Ａは、データを格納するテーブルＡ（２４Ａ）、テーブルＢ（２５Ａ）、およびデータ転送プログラム２６Ａを備えている。テーブル２４Ａ、２５Ａは、ＩＣカード２Ａの使用用途に応じて、単数であっても良いし、複数であっても良い。
【００５１】
本実施の形態の基本的な動作原理は、図２に示される実施の形態１の動作原理と同等である。
【００５２】
ＩＣカード２Ａのカード側メモリ２３Ａに備えられるテーブルＡ（２４Ａ）およびテーブルＢ（２５Ａ）は、予めデータを格納している。また、携帯端末機器１Ａの端末側メモリ１４Ａは、予め、テーブルＡ（２４Ａ）およびテーブルＢ（２５Ａ）に格納されているデータと、そのデータを利用者に認識可能な形にした変換後のデータが登録されているデータ変換テーブルＡ（１７Ａ）およびデータ変換テーブルＢ（１８Ａ）を備えている。
【００５３】
但し、本実施の形態においては、無線通信部１０Ａを外部ネットワークに接続する。そして、複数のＩＣカード２Ａに対応した情報表示プログラム１５Ａおよびデータ変換テーブルを外部ネットワークからダウンロードしてくることができる。これにより、複数のＩＣカード２Ａの内部情報を表示部１１Ａに表示可能な情報表示システム１００Ａを実現させることができる。
【００５４】
情報表示システム１００Ａが起動すると、携帯端末機器１Ａの端末側メモリ１４Ａに格納されている情報表示プログラム１５Ａが端末側処理装置１２Ａに読み込まれ、端末側処理装置１２Ａにおいて情報表示プログラム１５Ａが実行される。情報表示プログラム１５Ａの実行に基づいて、ＩＣカード２Ａのテーブル２４Ａ、２５Ａと携帯端末機器１Ａのデータ変換テーブル１７Ａ、１８Ａとの対応が、携帯端末機器１Ａのテーブルバインディングテーブル１６Ａに登録される（ステップＳ１００）。次に、携帯端末機器１Ａの端末側処理装置１２ＡからＩＣカード２Ａに向けてデータ送信指示信号が送信される。データ送信指示信号は、ＩＣカード２Ａとの間で認証を目的とする「鍵情報」を備えている。この「鍵情報」は、カード側メモリ２３Ａにも格納されている。ＩＣカード２Ａのカード側処理装置２２Ａは、データ送信指示信号の受信に基づいて、データ送信指示信号に含まれている「鍵情報」と、カード側メモリ２３Ａに格納されている「鍵情報」とを照合する。照合の結果、データ送信指示信号に含まれている「鍵情報」と、カード側メモリ２３Ａに格納されている「鍵情報」とが合致したときのみ、カード側処理装置２２Ａは、カード側メモリ２３Ａに格納されているテーブル２４Ａ，２５Ａから特定のデータを読み込む。そして、カード側通信部２１Ａから携帯端末機器１Ａに向けて読み込んだ特定データを送信する。ＩＣカード２Ａにおけるデータの読み込み、および書き込みに関するアクセスの認証に関しては、上記した「鍵情報」以外の方法を使用することも可能であるし、また、ＩＣカード２Ａの使用用途によっては、認証なしの設定にすることも可能である。
【００５５】
端末側通信部１３Ａで受信されたデータは、携帯端末機器１Ａの端末側メモリ１４Ａに読み込まれる（ステップＳ１０１）。ステップＳ１０１で読み込まれたデータと、テーブルバインディングテーブル１６Ａとに基づいて、データ変換のために使用するデータ変換テーブル１７Ａ、１８Ａを決定する（ステップＳ１０２）。次に、ステップＳ１０２で決定されたデータ変換テーブル１７Ａ、１８Ａを利用して、ＩＣカード２Ａから読み込んだデータを、利用者が認識可能なデータ形態に変換する（ステップＳ１０３）。そして、変換された利用者が認識可能なデータ形態に基づいて表示画面が構成され、携帯端末機器１Ａの表示部１１Ａにこの表示画面が表示される（ステップＳ１０４）。
【００５６】
本実施の形態においては、その構成要素である携帯端末機器１Ａが、ＩＣカード２Ａ以外の外部ネットワークと通信するための無線通信部１０Ａを備えており、この無線通信部１０Ａを使用して、外部ネットワークから自らの端末側メモリ１４Ａに、プログラムおよびデータ等をダウンロードする。これにより、実施の形態１の作用効果に加えて、さらに複数の機能を備えたＩＣカードに対応可能な実施の形態を実現することができる。
【図面の簡単な説明】
【００５７】
【図１】本発明の実施の形態１に係わる情報表示システムを示す図である。
【図２】本発明に係わる情報表示システムの動作を示すフローチャートである。
【図３】本発明に係わるデータ変換テーブルの実施例を示す図である。
【図４】本発明に係わるデータ変換テーブルの実施例を示す図である。
【図５】本発明に係わるテーブルの実施例を示す図である。
【図６】本発明に係わるテーブルの実施例を示す図である。
【図７】本発明に係わるテーブルバインディングテーブルの実施例を示す図である。
【図８】本発明に係わる表示部における表示例を示す図である。
【図９】本発明に係わる表示部における表示例を示す図である。
【図１０】本発明の実施の形態２に係わる情報表示システムを示す図である。
【符号の説明】
【００５８】
１、１Ａ…携帯端末機器
２、２Ａ…ＩＣカード
１０Ａ…無線通信部
１１、１１Ａ…表示部
１２、１２Ａ…端末側処理装置
１３、１３Ａ…端末側通信部
１４、１４Ａ…端末側メモリ
１５、１５Ａ…情報表示プログラム
１６、１６Ａ…テーブルバインディングテーブル
１６ａ、１６ｂ…テーブルバインディングデータ
１７、１７Ａ…データ変換テーブルＡ
１８、１８Ａ…データ変換テーブルＢ
２１、２１Ａ…カード側通信部
２２、２２Ａ…カード側処理装置
２３、２３Ａ…カード側メモリ
２４、２４Ａ…テーブルＡ
２５、２５Ａ…テーブルＢ
２６、２６Ａ…データ転送プログラム
１００、１００Ａ…情報表示システム
【図１】
2006155106.tif 000003
【図２】
2006155106.tif 000004
【図３】
2006155106.tif 000005
【図４】
2006155106.tif 000006
【図５】
2006155106.tif 000007
【図６】
2006155106.tif 000008
【図７】
2006155106.tif 000009
【図８】
2006155106.tif 000010
【図９】
2006155106.tif 000011
【図１０】
2006155106.tif 000012